(57)【要約】【課題】夫婦間またはパートナー間で情報が相互に送受信可能な健康管理システムの提供。【解決手段】夫婦間またはパートナー間で情報が相互に送受信可能な健康管理システムであって、女性側の携帯端末装置は、カレンダー表示、基礎体温のトレンド表示、バイオリズムの表示、生理メモ入力等が可能で、男性側の携帯端末装置は、カレンダー表示、スケジュール表示、食事のメモ、体重・ＢＭＩ・血糖値・血圧などの体調関連情報のうちの少なくとも１つが入力や表示が可能で、女性側、男性側の相互の端末で、少なくとも当日のスケジュールを表示し、確認できるようにしたことを特徴とする。【選択図】  図４
2008059412.tif 000002
【特許請求の範囲】
【請求項１】
夫婦間またはパートナー間で情報が相互に送受信可能な健康管理システムであって、
女性側の携帯端末は、カレンダー表示、基礎体温のトレンド表示、バイオリズムの表示、生理メモ入力、卵子の状態のイラスト等の女性の体調関連情報の表示のうちの少なくとも1つが表示可能で、
男性側の携帯端末は、カレンダー表示、スケジュール表示、食事のメモ、体重・ＢＭＩ・血糖値・血圧などの体調関連情報のうちの少なくとも１つが入力や表示が可能で、
女性側、男性側の相互の端末で、少なくとも当日のスケジュールを表示し、確認できるようにしたことを特徴とする健康管理システム。
【発明の詳細な説明】
【技術分野】
【０００１】
本発明は、夫婦間またはパートナー間で情報が相互に送受信可能な健康管理システムに関する。
【背景技術】
【０００２】
従来、健康管理システムにあっては、使用者が携帯端末で個人の健康診断データなどをデータサーバーに格納し、通信ネットワークを介して、医師などの専門家がアドバイスを入力し、返信する健康管理支援システム（特許文献１：特開２００２−３１２４８６号公報；特許文献２：特開２００４−３２１３７３号公報）等が提案されている。また、起訴体温等をデータサーバーで管理し、登録会員が適宜アクセスできる婦人健康管理システムも提案されている。
【特許文献１】特開２００２−３１２４８６号公報
【特許文献２】特開２００４−３２１３７３号公報
【発明の開示】
【発明が解決しようとする課題】
【０００３】
しかしながら、夫婦間またはパートナー間で必要時にリアルタイムに相互に体調，健康状態を確認できるシステムは未だ提案されていない。本発明は、このような状況に鑑みなされたもので、通常の体調管理と合わせて、配偶者相互，パートナー相互の体調管理も可能である健康管理システムを提供することを目的とする。
【課題を解決するための手段】
【０００４】
上記目的を達成するために、本発明の健康管理システムは、夫婦間またはパートナー間で情報が相互に送受信可能な健康管理システムであって、女性側の携帯端末（携帯端末装置）は、カレンダー表示、基礎体温のトレンド表示、バイオリズムの表示、生理メモ入力、卵子の状態のイラスト等の女性の体調関連情報の表示のうちの少なくとも1つが表示可能で、男性側の携帯端末（携帯端末装置）は、カレンダー表示、スケジュール表示、食事のメモ、体重・ＢＭＩ・血糖値・血圧などの体調関連情報のうちの少なくとも１つが入力や表示が可能で、女性側、男性側の相互の端末で、少なくとも当日のスケジュールを表示し、確認できるようにしたことを特徴とする。
【発明の効果】
【０００５】
本発明の健康管理システムによれば、通常の体調管理と合わせて、パートナーの体調管理も可能である。例えば、妻が夫の体調管理をすることができる。また、妻の生理周期を夫が知ることで、子作りに役立てることができる。また、妊娠中にあっては、妊婦の体重の変化等を双方の端末で表示し、胎児の成長を確認できる。
【発明を実施するための最良の形態】
【０００６】
以下、添付図面を参照して本発明の好適な実施形態に従って説明する。なお、実施例に限定されるものでないことはいうまでもない。図１は本実施形態における女性側の携帯端末（携帯端末装置）１００ａの一例を示している。また、図２は本発明の健康管理システム全体を示している。なお、男性側の携帯端末（携帯端末装置）１００ｂも女性側の携帯端末（携帯端末装置）１００ａと同様の構成であるが、入力キーによる入力情報が若干異なる。ここで、携帯端末（携帯端末装置）は携帯電話も含むものである。
【０００７】
図１において、１０は制御部（ＣＰＵ）、１１は入力キー、１２はカラー液晶等で構成される表示部、１３は機能キー、１４はクロック部、１５は外部通信部、１６は演算条件などが記憶されたＲＡＭ、１７はＣＰＵ１０で処理を行なうブログラムなどが記憶されたＲＯＭ、１８は電池、１９は基礎体温，体重，血糖，血圧等の生体情報をトレンド記憶する記憶部である。
【０００８】
また、外部通信部１５により、図２に示す情報通信ネットワーク（インターネット等）２を介して、外部のサービス業者等のサーバー３にアクセスしたり、ｉ−モード機能により、女性側の携帯端末（携帯端末装置）１００ａと男性側の携帯端末（携帯端末装置）１００ｂの双方で情報，データを相互に電話回線等の有線，無線（電波等），赤外線等で送受信できるように構成されている。
【０００９】
次に、女性側の携帯端末装置１００ａの機能等について説明する。まず、機能キー１３により、初期設定画面を表示部１２に表示させる。図３に示すように、例えば「パートナーの携帯端末（携帯電話）と照合してください。」（図３（ａ））等の案内画面が表示されると、入力キー１１でパートナー（男性）側）の携帯端末（携帯電話）１００ｂの番号を設定入力する。あわせて、暗証番号も入力するようにすると都合がよい。
【００１０】
図３（ｂ）は、表示部１２におけるカレンダー表示例である。この表示画面は機能キー１３を押すことで表示される。まず、年・月・日・時・分を設定・入力する。年・月・日のデフォルト値、例えば、２００６０１０１のうち２００６が点滅表示される。入力キー１１から数字のキーを押すことで、２００６の表示部が点滅する。たとえば、設定したい当日（年・月・日）を、２００６年７月１０日とすると、入力キー１１の数字キー６を押すことで２００６年が確定し、設定入力されて点灯に変わり、月の表示部が点滅する。月の表示部が点滅している状態で、入力キー１１の数字キー７を押すことで２００６年７月が確定し、設定入力されて点灯に変わり、日の表示部が点滅する。日の表示部が点滅している状態で、入力キー１１の数字キー１を押し、次に０を押すことで２００６年７月１０日が確定し、設定入力されて点灯に変わる。こうして、年・月・日の設定・入力が完了する。
【００１１】
時・分の設定は、機能キー１３のカーソル移動キー１３ａを押し、時刻表示部００：００を点滅させる。時刻を１１：２０に設定させたい場合、まず時間表示部が点滅している状態で入力キー１１の数字キー１０を押し、数字キー１を押すと時間１１が点灯する。次に分表示部００が点滅している状態で入力キー１１の数字キー２を押し、数字キー０を押すと分表示２０が点灯する。こうして、年・月・日・時・分、２００６年７月２０日１１：２０が設定されと、当該月のカレンダーが表示される（図３（ｂ）参照）。なお、電波時計を設けることにより、このような年・月・日・時・分の設定の煩わしさがなくなる。
【００１２】
図３（ｂ）における表示部１２のカレンダー表示部において、↑は心と体の状態がポジティブな状態（やる気がある、集中力がある、元気がある、楽しい、ウキウキ、穏やか、爽快等）を示すのもので、当該の日に、入力キー１１で入力することにより、記憶・表示される。また、↓は、心と体の状態がネガティブな状態（無気力、センチメンタル、泣きたい、うつ、不安定、緊張、ストレス、イライラ、怒りっぽい、頭痛、腰痛、冷え、むくみ、肌荒れ、だるい、便秘、下痢、めまい、たちくらみ、眠気、不眠、発熱、生理痛、不正出血等）を示すのもので、当該の日に、入力キー１１で入力することにより、記憶・表示される。また、■は、メモ入力があることを示すもので、当該の年・月・日、例えば２００６年７月２０日より以前のマークにカーソル移動キー１３ａによりカーソルを合せると、図３（ｃ）に示すような、入力・記憶されたメモ（例えば生理メモ）が表示される。当該の年・月・日、例えば２００６年７月２０日より以降のマークにカーソル移動キー１３ａによりカーソルを合せると、図３（ｄ）に示すような、入力・記憶されたメモ（例えば、７／２６予定、妻  １２：００昼食；夫  １０：００出張）が表示される。メモ入力としては、上記の他に食事内容などの入力・記憶も可能となっている。
【００１３】
＜各種データ表示機能＞
機能キー１３を押すことで、表示部１２に、図４（ａ）に示すような画面表示をさせる。カーソル移動キー１３ａで、「スケジュール」、「基礎体温グラフ」、「妊娠計画ナビ」、「胎児成長記録」、「乳児成長記録」、「パートナーの健康チェック」のうちいずれかを選択し、それぞれの項目を表示させることが可能である。カーソル移動キー１３ａにより「スケジュール」にカーソルを合せて選択すれば、図３（ｂ）に示すカレンダー画面表示となり、■は、メモ入力があることを示す７月２６日にカーソルキー１３ａを合せると、図３（ｄ）のような予定画面が表示される。カーソル移動キー１３ａにより「基礎体温グラフ」にカーソルを合せて選択すれば、図４（ｃ）に示す基礎体温のトレンドグラフが表示される。なお、基礎体温のトレンド値は記憶部１９に記憶したものを表示するか、サーバー３に記憶されたトレンド値を、サーバー３に対して予め登録されたパスワード，ＩＤ番号を入力してアクセスし、女性側携帯端末装置１００ａにダウンロードするようにしてもよい。
【００１４】
女性の妊娠が判明した場合、週ごとに妊婦が体重測定し、その値を入力キー１１で入力・記憶し、標準値と比較してトレンド表示できるようにしている。図４（ｄ）の例では、横軸が月、縦軸に体重変化を示すようにしている。また、女性が出産した後は、カーソル移動キー１３ａにより「スケジュール」にカーソルを合せて選択すれば、図４（ｅ）に示す「乳児成長記録」のトレンドグラフが表示される。図４（ｅ）の例では、横軸が月、縦軸に乳児の体重変化を標準値，９０パーセンタイル，１０パーセンタイルと比較表示可能にしている。「パートナーの健康チェック」では、男性の血圧（最高血圧／最低血圧）のトレンド変化，血糖値変化，体重変化，ＢＭＩ等を、男性側携帯端末装置１００ｂにアクセスするか、サーバー３に記憶されたこれらのトレンド値を、サーバー３に対して予め登録されたパスワード，ＩＤ番号を入力してアクセスし、女性側携帯端末装置１００ａにダウンロードして表示するようにしてもよい。
【００１５】
＜次回排卵日予測機能＞
女性側携帯端末１００ａでは、トレンド記憶された基礎体温を基に次回排卵日の予測・表示を行う機能を備える。すなわち、起床前に測定された基礎体温を入力キー１１または外部接続端子（不図示）を介して記憶部１９かサーバー３にＩＤ番号とともにトレンド記憶する。このとき、図３（ｃ）に示すような生理メモも入力しておく。記憶された基礎体温を基に次回排卵日の予測を行う機能を備えることで妊娠・避妊が計画的に行なえる。
【００１６】
・次回排卵日の予測の一例
次回排卵日は、所定期間（例えば３〜７日間）として導出される。例えば、予測処理を行っている当日が低温相の場合、”次回排卵日 ＝ 最近の生理初日＋低温相平均日数−１．５σ／２〜最近の生理初日＋低温相平均日数＋１．５σ／２”として導出される。ここで、σは、低温相の日数の分布が正規分布に従うと見なした際の標準偏差である。なお、予測結果は日単位で、小数点第１位で四捨五入とする。一方、予測処理を行っている当日が高温相の場合、”次回排卵日 ＝ 最近の排卵日＋月経周期平均日数−１．５σ／２〜最近の排卵日＋月経周期平均日数＋１．５σ／２”として導出される。ここで、σは、月経周期の日数の分布が正規分布に従うと見なした際の標準偏差である。なお、予測結果は日単位で、小数点第１位で四捨五入とする。このようにして導出された期間を表示する際には、表示する当日の条件に応じて次のように処理される。当日が導出された次回排卵日の期間に含まれない場合は導出された期間をそのまま表示する。一方、当日が導出された次回排卵日の期間に入っており、かつ、その期間の最後の日から所定日数（例えば３日）前以前の場合、表示される期間は”当日の日付〜導出された期間の最後の日”とする。すなわち、”当日〜最近の生理初日＋低温相平均日数＋１．５σ／２”、あるいは、”当日〜最近の排卵日＋月経周期平均日数＋１．５σ／２”となる。または、当日が導出された次回排卵日の期間に入っており、かつ、その期間の最後の日から所定日数（例えば３日）前以後の場合、表示される期間は”当日の日付〜当日の日付＋３”とする。また、導出された期間が所定日数（例えば８日）以上にわたる場合、当日が高温相で排卵日からの日数が所定日数（例えば１７日）以上の場合、月経周期平均日数または低温相平均日数が確定していない場合等の際は、精度の高い予測はできない。次回排卵日の予測処理は、所定回（例えば４回）の生理初日が確定し、月経周期平均日数および低温相平均日数の導出後になされる。こうして予測された次回排卵日の中心となる日は、図４に示すように□で表示される。次回排卵日の予測プログラムは、女性側携帯端末装置１００ａのＲＯＭ１７に記憶させておいても、サーバー３に記憶させておいてもよい。
【００１７】
＜男性側携帯端末装置の機能＞
男性側携帯端末装置１００ｂも基本的には、図４に示すものと同様の表示機能を有する。異なる点は、基礎体温の入力、トレンド表示ができないようになっている点である。また、「妊娠計画ナビ」画面では、次回排卵日予定日の中心の日、図５では２０日に「お酒は控えましょう」等のメッセージが表示されるようになっている。また、胎児の成長記録、乳児の成長記録を表示画面で確認できるので、パートナー間の信頼が深まることになる。
【図面の簡単な説明】
【００１８】
【図１】本発明の健康管理システムの実施形態におけるブロック図である。
【図２】本発明の健康管理システムの実施形態における概略を示す図である。
【図３】本発明の健康管理システムの実施形態における表示部における表示例である。
【図４】本発明の健康管理システムの実施形態における表示部における表示例である。
【図５】本発明の健康管理システムの実施形態における表示部における表示例である。
【符号の説明】
【００１９】
２・・・情報通信ネットワーク、３・・・サーバー、１０・・・ＣＰＵ、１１・・・入力キー、１３ａ，・・・カーソル移動キー、１３・・・機能キー、１６・・・ＲＡＭ、１７・・・ＲＯＭ、１９・・・記憶部、１００ａ・・・女性側携帯端末装置、１００ｂ・・・男性側携帯端末装置
【図１】
2008059412.tif 000003
【図２】
2008059412.tif 000004
【図３】
2008059412.tif 000005
【図４】
2008059412.tif 000006
【図５】
2008059412.tif 000007